(57)【要約】  ゴルフボールを正確に打撃することができる基準線を提供するとともに、テークバック及び打撃の際のクラブヘッドの移動距離及び正確な方向を確認することができる指標を提供して、ゴルフボールの打撃方向及び打撃強度を適切に調節することができるゴルフクラブを開示する。このゴルフクラブは、把持可能なグリップが一端を取り囲んでいるシャフト、及びシャフトの他端に連結され、ゴルフボールを打撃するクラブヘッドを含む。シャフトは、透明素材で形成されるシャフト本体と、シャフト本体の内部に挿入され、ゴルフクラブの水平移動をガイドするように特定の断面形状を有するガイド部材とを含む。【選択図】図２
2009512540.tif 000002
【特許請求の範囲】
【請求項１】
把持可能なグリップが一端を取り囲んでいるシャフト、及び前記シャフトの他端に連結され、ゴルフボールを打撃するクラブヘッドを含むゴルフクラブにおいて、前記シャフトは、
透明素材で形成されるシャフト本体；及び、
前記シャフト本体の内部に挿入され、前記ゴルフクラブの水平移動をガイドするように特定の断面形状を有するガイド部材；を含むことを特徴とする、ゴルフクラブ。
【請求項２】
前記クラブヘッドは、前記ゴルフボールと接する打撃面に含まれるヘッド基準線を含み、前記ガイド部材の特定の断面形状は、前記ヘッド基準線に対して垂直に形成される垂直基準線を含むことを特徴とする、請求項１に記載のゴルフクラブ。
【請求項３】
前記特定の断面形状は、前記垂直基準線が二つ以上一定の間隔を置いて平行に形成されることを特徴とする、請求項２に記載のゴルフクラブ。
【請求項４】
前記特定の断面形状は、直四角形、正四角形、五角形、六角形、八角形、円形及び楕円形の中でいずれか一つの形状に形成されることを特徴とする、請求項２に記載のゴルフクラブ。
【請求項５】
前記特定の断面形状は、前記グリップで取り囲まれる前記シャフトの最上端で観察されることを特徴とする、請求項１に記載のゴルフクラブ。
【請求項６】
前記ガイド部材は、識別可能な色相で彩色されることを特徴とする、請求項１に記載のゴルフクラブ。
【請求項７】
前記色相は、蛍光色を含むことを特徴とする、請求項６に記載のゴルフクラブ。
【請求項８】
把持可能なグリップが一端を取り囲んでいるシャフト、及び前記シャフトの他端に連結され、ゴルフボールを打撃するクラブヘッドを含むゴルフクラブにおいて、
前記シャフトは、前記ゴルフクラブの水平移動をガイドするように特定の断面形状を有することを特徴とする、ゴルフクラブ。
【請求項９】
前記クラブヘッドは、前記ゴルフボールと接する打撃面に含まれるヘッド基準線を含み、前記シャフトの特定の断面形状は、前記ヘッド基準線に対して垂直に形成される垂直基準線を含むことを特徴とする、請求項８に記載のゴルフクラブ。
【請求項１０】
前記特定の断面形状は、前記垂直基準線が二つ以上一定の間隔を置いて平行に形成されることを特徴とする、請求項９に記載のゴルフクラブ。
【請求項１１】
前記特定の断面形状は、直四角形、正四角形、五角形、六角形、八角形、円形及び楕円形の中でいずれか一つの形状に形成されることを特徴とする、請求項９に記載のゴルフクラブ。
【請求項１２】
前記特定の断面形状は、前記グリップで取り囲まれる前記シャフトの最上端で観察されることを特徴とする、請求項８に記載のゴルフクラブ。
【請求項１３】
前記シャフトは、識別可能な色相で彩色されることを特徴とする、請求項８に記載のゴルフクラブ。
【請求項１４】
前記色相は、蛍光色を含むことを特徴とする、請求項１３に記載のゴルフクラブ。
【発明の詳細な説明】
【技術分野】
【０００１】
本発明はゴルフクラブ(Golf Club)に係り、特にゴルフボールを正確に打撃することができる基準線を提供するとともに、テークバック及び打撃の際のクラブヘッドの移動距離及び正確な方向を確認することができる指標を提供して、ゴルフボールの打撃方向及び打撃強度を適切に調節することができるゴルフクラブに関するものである。
【背景技術】
【０００２】
ゴルフは、コース上に置かれているゴルフボールを杖状のクラブで次々と打って特定のホール（球孔）に入れ、そのときまでの打数の多少で優劣を決める競技である。
【０００３】
ゴルフコースは、２打でグリーンに到達可能なホール１０個、３打で到達可能なホール４個、及び１打で到達可能な短距離のホール４個で組み合わせられたものを標準型とみなす。グリーンでのショットは精巧な技巧を必要とするもので、最後に直径１１ｃｍ未満のホールにゴルフボールを入れるためには、かなりの水準の繊細さが必要である。
【０００４】
ゴルフクラブは、ゴルフボールを打撃するゴルフスティックを意味する。ゴルフクラブは、ボールを打撃する打球面であるクラブヘッド部とゴルフクラブの棒部であるシャフト部に分けられ、ヘッドの形状及び材質によってウッド（Ｗｏｏｄ）、アイアン（Ｉｒｏｎ）、パター（Ｐｕｔｔｅｒ）などの３種に区分し、それぞれ異なる用途及び機能を持っている。
【０００５】
ウッドは、ボールをできるだけ遠くに送るためのクラブであり、アイアンは、距離によって選んで使用するクラブである。ウッド、アイアンまたはそれぞれのクラブは固有の番号が付けられている。１番に行くほど長さの長いクラブであり、ウッドがアイアンより長い。
【０００６】
ゴルフコースにおいて、最後にホールにゴルフボールを入れるために使用されるゴルフクラブの中にはゴルフパターが含まれる。パッティングは、ゴルフボールがホールに近い距離に位置するとき、通常にゴルフボールをゴルフコースの地面上で転がしてホールに入れるための動作を意味する。ゴルフパターは、パッティングのために使用されるゴルフクラブである。
【０００７】
以下では、ゴルフクラブとしてのゴルフパターを例として従来のゴルフクラブの問題点を説明する。但し、下記の問題点はアイアン及びウッドのようなゴルフクラブにも同様に適用される。
【０００８】
図１を参照すれば、一般的なゴルフパターは、使用者によって把持されるグリップ１が一端部を取り囲むシャフト２、及びシャフト２の他端に連結され、ゴルフボール（図示せず）をパッティングするクラブヘッド３を含む。
【０００９】
従来の技術においては、正確なパッティングのために、基準線４をクラブヘッド３上に含ませる。基準線４は、打撃面５に接するゴルフボールの打撃方向を使用者が繊細に調節するようにする一種の指標の役目をする。結果として、ゴルフボールの打撃方向は、基準線４の延長線と一致することになる。
【００１０】
このような従来の技術は、ゴルフパターのクラブヘッド３に多様な方法によっていろいろの形状に形成された基準線を用いて正確なパッティングを行おうとすることを目的とする。しかしながら、従来の技術で提供する基準線は、クラブヘッド３だけに限られている。そのため、使用者が基準線４を見て正確にゴルフボールを打撃するには、ゴルフパターのシャフト２の長さによって目からの距離が遠く、クラブヘッド３はゴルフボールを打撃するために左右に揺れるものなので、クラブヘッド３上の基準線を使用者が正確に見詰めにくいという問題点がある。
【００１１】
一方、パッティングにおいては、ゴルフボールの打撃方向だけでなく、ゴルフボールの打撃強度も非常に重要である。ホールからゴルフボールが離れている程度によって打撃強度を繊細に調節しなければならないからである。打撃強度は、使用者がゴルフボールを打撃するためにクラブヘッド３を移動させる速度だけではなく、ゴルフボールを打撃するために使用者がグリップ１を手で把持した状態でクラブヘッド３を後方に移動させてからさらに同じ経路に沿ってクラブヘッド３を前方に移動させてゴルフボールを打撃するときのクラブヘッド３が後方に移動した距離によって違ってくる。
【００１２】
ここで、使用者がゴルフボールを打撃するためにクラブヘッド３を後方に移動させる動作を‘テークバック’と定義する。‘テークバック’をした状態でゴルフボールを打撃するためにクラブヘッド３を前方に移動させる動作を‘パッティング’と定義する。‘パッティング’は、ゴルフボールの‘打撃’の概念に含まれる。
【００１３】
従来の技術によるゴルフパターは、クラブヘッド３上に表示された基準線４を用いてゴルフボールの打撃方向を見積ることができるばかりであり、ゴルフボールの打撃強度に影響を与えるクラブヘッド３の移動距離を見積ることができる指標を提供することができない。よって、使用者は、直感によって打撃強度を調節しなければならない。
【発明の開示】
【発明が解決しようとする課題】
【００１４】
本発明は、前記のような問題点に鑑みてなされたものであり、ゴルフクラブのシャフト構造によって、ゴルフボールを正確に打撃することができる基準線を提供するとともに、テークバック及び打撃の際のクラブヘッドの移動距離及び正確な方向を確認することができる指標を提供して、ゴルフボールの打撃方向及び打撃強度を適切に調節することができるゴルフクラブを提供することをその目的とする。
【課題を解決するための手段】
【００１５】
前記のような目的を達成するために提供される本発明によるゴルフクラブは、把持可能なグリップが一端を取り囲んでいるシャフト、及び前記シャフトの他端に連結され、ゴルフボールを打撃するクラブヘッドを含むゴルフクラブにおいて、前記シャフトは、透明素材に形成されるシャフト本体；及び、前記シャフト本体の内部に挿入され、前記ゴルフクラブの水平移動をガイドするように特定の断面形状を有するガイド部材；を含むことを特徴とする。
【００１６】
前記クラブヘッドは、前記ゴルフボールと接する打撃面に含まれるヘッド基準線を含み、前記ガイド部材の特定の断面形状は、前記ヘッド基準線に対して垂直に形成される垂直基準線を含むことが好ましい。
【００１７】
また、前記特定の断面形状は、前記垂直基準線が二つ以上一定の間隔を置いて平行に形成されることが好ましい。
【００１８】
また、前記特定の断面形状は、直四角形、正四角形、五角形、六角形、八角形、円形及び楕円形の中でいずれか一つの形状に形成されることが好ましい。
【００１９】
また、前記特定の断面形状は、前記グリップで取り囲まれる前記シャフトの最上端で観察されることが好ましい。
【００２０】
また、前記ガイド部材は、識別可能な色相で彩色されることが好ましい。
【００２１】
また、前記色相は、蛍光色を含むことが好ましい。
【発明の効果】
【００２２】
以上説明した本発明のゴルフクラブによれば、ゴルフボールを正確に打撃することができる基準線を提供するとともに、テークバック及び打撃の際のクラブヘッドの移動距離及び正確な方向を確認することができる指標を提供したことによって、ゴルフボールの打撃方向及び打撃強度を適切に調節することができる効果が得られる。
【図面の簡単な説明】
【００２３】
【図１】図１は、従来の技術によるゴルフクラブの斜視図である。
【図２】図２は、本発明の一態様によるゴルフクラブの斜視図である。
【図３】図３は、図２のIII−IIIに沿って取ったシャフトの断面図である。
【図４】図４は、図２のゴルフクラブのシャフトと打撃線との関係を示す概念図である。
【図５】図５は、図２のゴルフクラブを上から見た平面図である。
【図６】図６ａは、図２のゴルフクラブを正確にテークバックするとき、ゴルフクラブを上から見た平面図である。図６ｂは、図２のゴルフクラブを不正確にテークバックするとき、ゴルフクラブを上から見た平面図である。
【図７】図７ａ〜図７ｄは、本発明の一態様のさらに他の実施例によるシャフトの断面図である。
【図８】図８は、本発明の他の態様によるゴルフクラブの斜視図である。
【図９】図９は、図８のIX−IXに沿って取ったシャフトの断面図である。
【図１０】図１０は、本発明のさらに他の態様によるシャフトの断面図である。
【図１１】図１１は、本発明のさらに他の態様によるシャフトの断面図である。
【図１２】図１２は、本発明のさらに他の態様によるシャフトの断面図である。
【図１３】図１３は、本発明のさらに他の態様によるシャフトの断面図である。
【符号の説明】
【００２４】
１０：グリップ
２０：シャフト
２１、２１’：シャフト本体
２２、２２’：ガイド部材
２２ａ：垂直基準線
３０：クラブヘッド
３１：打撃面
３１ａ：ヘッド基準線
４０：打撃線
５０：ホール
６０：ゴルフボール
【発明を実施するための最良の形態】
【００２５】
以下、添付図面を参照しながら本発明の構成について詳細に説明する。ただし、ここではゴルフクラブとしてゴルフパターを一例にして説明するが、本発明の技術的思想はアイアン及びウッドのようなゴルフクラブにも同様に適用される。
【００２６】
図２を参照すれば、本発明によるゴルフクラブとしてのゴルフパターは、把持可能なグリップ１０が一端を取り囲んでいるシャフト２０、及びシャフト２０の他端に連結され、ゴルフボールを打撃するクラブヘッド３０を含む。
【００２７】
クラブヘッド３０は、ゴルフボールを打撃する打撃面３１と、打撃面に含まれるヘッド基準線３１ａとを含む。ヘッド基準線３１ａは、クラブヘッド３０の外周によって特定される基準線を意味する。さらに、クラブヘッド３０上に、打撃面と平行な基準線を別に形成させることができる。いずれの場合にも、ヘッド基準線３１ａは、垂直基準線２２ａに対して直角に形成される。
【００２８】
一般に、シャフトは、１９世紀に使用された最初のスチールシャフトを始まりとし、技術の発展につれて、より軽くて高強度で弾性的なカーボン素材に取り替えられ始めた。このようなシャフトの一般的な機能は、ゴルフクラブのスイングの際に発生するエネルギーをゴルフボールに最大限伝え、ゴルフボールとクラブヘッド間の打撃の際に生じる打球感をゴルファーに伝達する。
【００２９】
本発明によるゴルフクラブとしてのゴルフパターのシャフト２０は、このような一般的なシャフトの機能の外にも、ゴルフボールを正確に打撃することができる基準線を提供するとともに、テークバック及び打撃の際のクラブヘッドの移動距離及び正確な方向を確認することができる指標を提供して、ゴルフボールの打撃方向及び打撃強度を適切に調節することができるようにするシャフト２０を提供する。
【００３０】
図３を参照すれば、シャフト２０は、特定の断面形状のガイド部材２２と、ガイド部材２２の外周面を取り囲み、ガイド部材２２が外部から観察できるように透明素材で形成されるシャフト本体２１とを含む。
【００３１】
シャフト本体２１の素材は、適正の強度及び弾性力を有することが好ましい。いずれの場合にも、シャフト本体２１は透明素材で形成され、外部からガイド部材２２が観察できるようにしなければならない。
【００３２】
ガイド部材２２は、特定の断面形状を有する。‘特定の断面形状’とは、好ましくは、図３のように、四つの直線で形成される四角形である。四角形を成す四つの直線によって垂直基準線２２ａが提供される。
【００３３】
垂直基準線２２ａは、従来の技術で提供する基準線４（図１参照）と同様に、ゴルフボールを打撃する方向を調節する役目をする。使用者がゴルフパターでゴルフボールを打撃するとき、垂直基準線２２ａは図４の打撃線４０と一致することになる。垂直基準線２２ａは、クラブヘッド３０がゴルフボールと接する打撃面３１に含まれるヘッド基準線３１ａに対して垂直に形成されている。
【００３４】
断面の形状は、ゴルフボールを正確な方向に打撃するための垂直基準線を含み得るいずれの形状にも形成することができる。したがって、特定の断面形状は、直四角形、正四角形、五角形、六角形及び八角形の中でいずれか一形状に形成されることができる。さらに、垂直基準線２２ａは二つ以上が一定の間隔を置いて平行に形成することができる。
【００３５】
また、ガイド部材２２の機能は、使用者がゴルフパターを移動させるとき、ゴルフボールの打撃方向に合わせてゴルフパターのシャフトが適切な方向に移動するかどうかを心理的に及び安定的に分かるようにするという面が大きいので、識別可能な色相で彩色された円形または楕円形の断面形状に提供することもできる。ただ、円形または楕円形の断面形状にする場合には、断面形状によって垂直基準線２２ａが提供できない代りに、グリップ１０の下側に形成されたガイド部材２２を用いて心理的基準線を設定することができる。心理的基準線は、使用者が本発明によるゴルフクラブとしてのゴルフパターを数回利用する場合に形成される使用者のみの特別な感覚線と理解することができる。
【００３６】
また、図２を参照すれば、本発明によるゴルフクラブとしてのゴルフパターのシャフト２０の断面形状は、グリップ１０によって取り囲まれるシャフト２０の最上端で観察可能である。これは一般的なゴルフパターの最上端にゴム製の不透明なキャップが付着されているものとは異なる。したがって、使用者は、グリップ１０を把持した状態で、シャフト２０の最上端を見詰めながら適切な打撃方向を調節することができる。ゴルフパターのクラブヘッド３０は、使用者の目から地面までの距離を離れて位置するので、従来の技術によるクラブヘッド５（図１参照）に形成された基準線４（図１参照）を見詰めることは容易でない。これに対し本発明によるゴルフクラブとしてのゴルフパターは、シャフト２０の最上端に垂直基準線２２ａを提供することで、使用者が安定に垂直基準線２２ａを見詰めながら打撃することができる。打撃には相当な集中力及び繊細さが要求されるので、使用者は、近距離に固定的に位置するシャフト２０の最上端に形成された特定の断面形状に含まれる垂直基準線２２ａを用いてゴルフボール６０の打撃方向を適切に調節することができる。もちろん、ゴルフボール６０の打撃方向は、透明なシャフト本体２１を通じて識別できる色相によってはっきりと刻印されるガイド部材２２を用いて調節することができる。
【００３７】
図４を参照すれば、使用者がゴルフパターを用いてゴルフボール６０をホール５０に入れるために打撃する方向としての打撃線４０とシャフト２０の関係が分かる。使用者がゴルフパターのクラブヘッド３０を用いてゴルフボール６０を打撃する瞬間、シャフト２０と打撃線４０は直角を成すことになる。使用者は、ガイド部材２２によってこのような打撃瞬間を心理的に及び安定的に認識することができる。ガイド部材２２は、透明なシャフト本体２１とは異なり、識別可能な色相で彩色されたものが好ましく、蛍光色で彩色されることがより好ましい。蛍光色のような特別な色相で彩色されたガイド部材２２は、使用者がゴルフパターを打撃線に平行な前後方向に移動させるとき、一定の軌跡を描きながら使用者の視覚に影響を及ぼすことになり、このような軌跡は使用者に心理的基準線を提供して、打撃時の安定感を提供する。
【００３８】
図５を参照すれば、使用者は、グリップ１０を把持した状態で、下方のゴルフボールを見詰めながら、シャフト２０の最上端のガイド部材２２の特定断面形状を用いてゴルフパターの適切な位置を調節する。使用者は、垂直基準線２２ａと打撃線４０とが一致するようにクラブヘッド３０を位置させることができる。打撃の際に、ゴルフボールは打撃線４０に沿って転がって進むことになる。
【００３９】
また、使用者が下方のゴルフボール６０を見詰めるとき、ガイド部材２２が一定の長さで現れる。ガイド部材２２は識別可能な色相で彩色されているので、使用者はガイド部材２２が現れる長さを明確に認知することができ、クラブヘッド３０を正確な位置に調節することができる基準指標になることができる。
【００４０】
図６ａ及び図６ｂを参照すれば、テークバックの際に、ガイド部材２２は点線で表示する軌跡により、使用者に視覚的な残像を提供する。結果的に、このような残像は使用者の心理に影響して一定の心理的基準線を提供することになるものである。よって、使用者は、打撃線４０とゴルフパターの移動方向が一致するかどうかを感覚的に感じることができる。何故ならば、使用者は上部から下方にゴルフボールを見詰めながらも、識別可能な色相で彩色されたガイド部材２２を視覚的にはっきり認知することができるからである。図６ａは正確なテークバックの場合を、図６ｂは不正確なテークバックの場合を示す。
【００４１】
一方、ガイド部材２２によって形成される心理的基準線が長いほどゴルフボールの打撃強度が高くなるので、使用者はホール５０（図４参照）とゴルフボール６０（図４参照）間の距離に応じて感覚的に適切な打撃強度を維持することができる。このような打撃強度の調節は、テークバックだけでなく、ゴルフボール６０を打撃して押し出す際にも同様に適用できるものである。
【００４２】
図７ａ〜図７ｄを参照すれば、本発明によるゴルフクラブとしてのゴルフパターに含まれるガイド部材２２の断面形状は、これまで説明した正四角形の形状の外にも、縦方向に長い直四角形（図７ａ）、横方向に長い直四角形（図７ｂ）、１本以上の直線が平行に形成された形状（図７ｃ）、一つ以上の円形が接して位置する形状（図７ｄ）なども可能である。いずれの場合にも、テークバックの際、ガイド部材２２が一定の軌跡によって使用者に視覚的な残像を提供することにより、使用者の心理に影響して一定の心理的基準線を提供することになるものである。
【００４３】
図８を参照すれば、本発明によるゴルフクラブとしてのゴルフパターに含まれるシャフトの他の態様は、シャフト本体２１’の断面形状がガイド部材２２’の断面形状と同じ形状に形成されるものである。図８のIX−IXに沿った断面図である図９を参照すれば、容易に理解することができる。
【００４４】
図９を参照すれば、シャフト本体２１’は、ガイド部材２２’の外周を、好ましくは、一定の厚さで取り囲む。したがって、ガイド部材２２’の特定の断面形状が図９のような正四角形の場合、シャフト本体２１’の断面形状もガイド部材２２’の特定の断面形状よりやや拡大した正四角形形状を有することになる。
【００４５】
本発明のガイド部材２２’が提供する心理的基準線としての機能は前述したようである。このようなガイド部材２２’の機能を強調するために、シャフト本体２１’の断面形状をガイド部材２２’の断面形状と一致させることが本発明の他の態様の要旨である。
【００４６】
図９〜図１３を参照すれば、ガイド部材２２’の特定の断面形状は正四角形の形状（図９）、横方向に長い直四角形（図１０）、縦方向に長い直四角形（図１１）、複数の円形が接している形状（図１２）、楕円形状（図１３）などになることができ、ガイド部材２２’の外部を取り囲むシャフト本体２１’はガイド部材２２’の断面形状と同様に形成されるとともにガイド部材２２’の外周を一定の厚さで取り囲むように形成することができる。楕円形状の場合、一般的な円形のシャフトに圧力を加えることで容易に製造することができるという利点がある。
【００４７】
場合によっては、透明なシャフト本体２１’を除いて、ガイド部材２２’のみでシャフトを形成することもできる。この場合、ガイド部材２２’から発現される特有の色相によって使用者に一層強い視覚的残像を与えることができる。
【００４８】
したがって、ガイド部材２２’のみでも本発明の実施例によるゴルフクラブのシャフトを構成することができる。言い換えれば、シャフトはシャフト本体２１’とガイド部材２２’を含む概念であるが、シャフト本体２１’とガイド部材２２’の区別は説明の便宜のためのもので、シャフト本体２１’とガイド部材２２’が単一構成要素に一体化することができるという意味と理解すればよい。
【００４９】
いずれの場合であっても、テークバックの際に、ガイド部材２２’が一定の軌跡によって使用者に視覚的な残像を提供することにより、使用者の心理に影響して一定の心理的基準線を提供することになるものである。
【００５０】
これまで、ゴルフクラブとしてのゴルフパターを例として、本発明によるゴルフクラブの構成について詳細に説明した。ゴルフクラブとしてのゴルフパターの他に、アイアンまたはウッドにも本発明の技術的思想がすべて適用可能であるのはもちろんである。
【図１】
2009512540.tif 000003
【図２】
2009512540.tif 000004
【図３】
2009512540.tif 000005
【図４】
2009512540.tif 000006
【図５】
2009512540.tif 000007
【図６】
2009512540.tif 000008
【図７】
2009512540.tif 000009
【図８】
2009512540.tif 000010
【図９】
2009512540.tif 000011
【図１０】
2009512540.tif 000012
【図１１】
2009512540.tif 000013
【図１２】
2009512540.tif 000014
【図１３】
2009512540.tif 000015
【国際調査報告】
2009512540.tif 000016
2009512540.tif 000017